(57)【要約】  【課題】  樹木を植栽する地盤を強化すると共に、樹木の倒木を確実に防止することができる倒木防止具の連結構造体を提供する。  【解決手段】  植栽した樹木の生長により根が絡むように土壌内に埋設される複数の倒木防止具１の連結構造体１００であって、各倒木防止具１は、互いに平行に延びる３つ以上の縦材２と、縦材２に支持される環状の保持体４とを備え、保持体４は、複数が縦材２に沿って間隔をあけて固定されており、近接配置された複数の倒木防止具１が、螺旋状の連結部材８により連結される。【選択図】  図３
2020080688.tif 000002
【特許請求の範囲】
【請求項１】
植栽した樹木の生長により根が絡むように土壌内に埋設される複数の倒木防止具の連結構造体であって、
前記各倒木防止具は、互いに平行に延びる３つ以上の支持部と、前記支持部に支持される環状の保持体とを備え、前記保持体は、複数が前記支持部に沿って間隔をあけて固定されており、
複数の前記倒木防止具が、螺旋状の連結部材により連結された倒木防止具の連結構造体。
【請求項２】
複数の前記倒木防止具が、互いに近接して平行に配置された前記支持部同士の周りに前記連結部材が装着されて連結された請求項１に記載の倒木防止具の連結構造体。
【請求項３】
複数の前記倒木防止具が、互いに近接して配置された前記各保持体の同方向に延びる部分の周りに前記連結部材が装着されて連結された請求項１に記載の倒木防止具の連結構造体。
【請求項４】
植栽した樹木の生長により根が絡むように土壌内に埋設される複数の倒木防止具を用いた倒木防止方法であって、
前記各倒木防止具は、互いに平行に延びる３つ以上の支持部と、前記支持部に支持される環状の保持体とを備え、前記保持体は、複数が前記支持部に沿って間隔をあけて固定されており、
複数の前記倒木防止具を地面に近接配置して、螺旋状の連結部材により連結する連結ステップと、
連結された前記倒木防止具を杭部材により地面に固定する固定ステップと、
固定された前記倒木防止具を土壌内に埋設した後、前記倒木防止具の近傍に樹木を植栽する植栽ステップとを備える倒木防止方法。
【請求項５】
前記連結ステップは、複数の前記倒木防止具のいずれかの前記支持部同士を互いに近接させて平行に配置し、前記連結部材を回転させながら前記支持部同士に沿って進出させることにより、前記支持部同士の周りに前記連結部材を装着する請求項４に記載の倒木防止方法。
【請求項６】
前記連結ステップは、複数の前記倒木防止具のいずれかの前記保持体同士を互いに近接させて配置し、前記連結部材を回転させながら前記各保持体の同方向に延びる部分に沿って進出させることにより、前記保持体の周りに前記連結部材を装着する請求項４に記載の倒木防止方法。
【発明の詳細な説明】
【技術分野】
【０００１】
本発明は、倒木防止具の連結構造体および倒木防止方法に関し、より詳しくは、植栽した樹木の生長により根が絡むように土壌内に埋設される倒木防止具の連結構造体、および、これを用いた倒木防止方法に関する。
【背景技術】
【０００２】
土壌内に埋設して樹木を地面に固定するための構造体が、特許文献１に開示されている。この構造体は、支持脚を有する複数のモジュラー要素からなり、隣接するモジュラー要素の支持脚同士が管状体によって連結される。
【先行技術文献】
【特許文献】
【０００３】
【特許文献１】米国公開公報第２０１３／０１３９４３３号
【発明の概要】
【発明が解決しようとする課題】
【０００４】
上記従来の構造体は、樹木の根がモジュラー要素内に進入することで樹木を支持することができるが、隣接するモジュラー要素同士が管状体によって強固に連結されるため、地震等の地盤変位によりモジュラー要素が大きな土圧を受けると、モジュラー要素が土圧を十分吸収できずに変形や損傷を生じるおそれがあり、良好な倒木防止効果が得られないという問題があった。
【０００５】
一方、津波・台風等の天災あるいは人災によって生じる宅地・農地等の被害を軽減するため、樹木が持つ防災機能の重要性が近年改めて認識されつつあり、樹木の根付きを向上させることが求められている。
【０００６】
そこで、本発明は、樹木を植栽する地盤を強化すると共に、樹木の倒木を確実に防止することができる倒木防止具の連結構造体および倒木防止方法の提供を目的とする。
【課題を解決するための手段】
【０００７】
本発明の前記目的は、植栽した樹木の生長により根が絡むように土壌内に埋設される複数の倒木防止具の連結構造体であって、前記各倒木防止具は、互いに平行に延びる３つ以上の支持部と、前記支持部に支持される環状の保持体とを備え、前記保持体は、複数が前記支持部に沿って間隔をあけて固定されており、複数の前記倒木防止具が、螺旋状の連結部材により連結された倒木防止具の連結構造体により達成される。
【０００８】
上記の倒木防止具の連結構造体は、複数の前記倒木防止具が、互いに近接して平行に配置された前記支持部同士の周りに前記連結部材が装着されて連結されることが好ましい。あるいは、上記の倒木防止具の連結構造体は、複数の前記倒木防止具が、互いに近接して配置された前記各保持体の同方向に延びる部分の周りに前記連結部材が装着されて連結されることが好ましい。
【０００９】
また、本発明の前記目的は、植栽した樹木の生長により根が絡むように土壌内に埋設される複数の倒木防止具を用いた倒木防止方法であって、前記各倒木防止具は、互いに平行に延びる３つ以上の支持部と、前記支持部に支持される環状の保持体とを備え、前記保持体は、複数が前記支持部に沿って間隔をあけて固定されており、複数の前記倒木防止具を地面に近接配置して、螺旋状の連結部材により連結する連結ステップと、連結された前記倒木防止具を杭部材により地面に固定する固定ステップと、固定された前記倒木防止具を土壌内に埋設した後、前記倒木防止具の近傍に樹木を植栽する植栽ステップとを備える倒木防止方法により達成される。
【００１０】
上記の倒木防止方法において、前記連結ステップは、複数の前記倒木防止具のいずれかの前記支持部同士を互いに近接させて平行に配置し、前記連結部材を回転させながら前記支持部同士に沿って進出させることにより、前記支持部同士の周りに前記連結部材を装着することが好ましい。あるいは、上記の倒木防止方法において、前記連結ステップは、複数の前記倒木防止具のいずれかの前記保持体同士を互いに近接させて配置し、前記連結部材を回転させながら前記各保持体の同方向に延びる部分に沿って進出させることにより、前記保持体の周りに前記連結部材を装着することが好ましい。
【発明の効果】
【００１１】
本発明によれば、樹木を植栽する地盤を強化すると共に、樹木の倒木を確実に防止することができる倒木防止具の連結構造体および倒木防止方法を提供することができる。
【図面の簡単な説明】
【００１２】
【図１】本発明の一実施形態に係る倒木防止具の連結構造体に使用する倒木防止具の側面図である。
【図２】図１に示す倒木防止具の平面図である。
【図３】図１に示す倒木防止具の連結構造体を示す側面図である。
【図４】図３に示す倒木防止具の連結構造体の平面図である。
【図５】本発明の一実施形態に係る倒木防止方法の概略工程図である。
【図６】図５に示す倒木防止方法により支持された樹木の模式図である。
【図７】本発明の他の実施形態に係る倒木防止具の連結構造体を示す側面図である。
【図８】本発明の更に他の実施形態に係る倒木防止具の連結構造体を示す平面図である。
【図９】倒木防止具の変形例を示す側面図である。
【図１０】図９に示す倒木防止具の平面図である。
【図１１】倒木防止具の他の変形例を示す側面図である。
【図１２】倒木防止具の更に他の変形例を示す側面図である。
【図１３】本発明の他の実施形態に係る倒木防止方法を説明するための模式図である。
【図１４】本発明の更に他の実施形態に係る倒木防止方法を説明するための模式図である。
【図１５】本発明の更に他の実施形態に係る倒木防止具の連結構造体を示す側面図である。
【発明を実施するための形態】
【００１３】
以下、本発明の実施の形態について、添付図面を参照して説明する。図１は、本発明の一実施形態に係る倒木防止具の連結構造体に使用する倒木防止具の側面図であり、図２は、図１に示す倒木防止具の平面図である。図１および図２に示すように、倒木防止具１は、４つの縦材２と、縦材２に支持される２つの保持体４とを備えており、全体として立方体状に形成されている。
【００１４】
縦材２は、金属や樹脂等からなる中実棒状または中空筒状の部材であり、本実施形態においては直棒状の鉄筋からなる。各縦材２は、互いに平行に延びるように平面視矩形状の各角部に配置されており、長手方向全体が保持体４を支持する支持部を構成する。縦材２の表面には、鉄筋のリブや節などのように凹凸を有することが好ましく、これによって、表面積を増加させて埋設時の土壌との密着力を高めることができる。
【００１５】
保持体４は、金属や樹脂等からなる環状の部材であり、本実施形態においては、各縦材２と直交する平面に沿って各縦材２を取り囲むように鉄筋を矩形枠状に折り曲げて形成され、両端のフック部４ａ，４ｂが縦材２に係止されている。保持体４の表面についても、縦材２と同様に凹凸が形成されていることが好ましい。
【００１６】
２つの保持体４，４は、縦材２に沿って間隔をあけて互いに平行に配置されており、それぞれ金属線等の結束具６により縦材２に固定されている。縦材２に対する保持体４の固定方法は特に限定されるものではなく、例えば、クランプによる挟持、金属パイプのかしめ、溶接等により行ってもよい。
【００１７】
図３および図４は、それぞれ図１に示す倒木防止具１の連結構造体を示す側面図および平面図である。図３および図４に示すように、倒木防止具１の連結構造体１００は、近接配置された複数の倒木防止具１，１を、複数の連結部材８，８により連結して構成されている。連結部材８は、棒材を螺旋状に巻回させた形状を有しており、例えば、スパイラル筋を好適に使用することができる。
【００１８】
倒木防止具１，１は、互いに近接する保持体４，４の一辺の両側で、縦材２，２；２，２同士がそれぞれ平行に延びるように配置され、各連結部材８は、これら縦材２，２同士の周りを取り囲むように装着される。支持部材２，２と連結部材８との間には、若干（例えば、０．５〜３ｃｍ程度）の隙間が生じることが好ましく、例えば、支持体２，２同士の外周間の最大距離が１０ｃｍである場合に、連結部材８の螺旋の内径を１２ｃｍにすることが好ましい。連結構造体１００をこのように構成することで、土壌への埋設後に地盤変位が生じた場合でも、倒木防止具１，１間の任意の方向への位置ずれを、支持部材２，２と連結部材８との隙間によって吸収することができるので、倒木防止具１，１の結合状態を確実に維持しつつ、地盤変位に柔軟に対応することができる。但し、連結部材８は弾性変形可能であるため、連結部材８が支持体２，２同士の双方に接触する構成であってもよい。連結部材８の螺旋ピッチは、上下の保持体４，４と同時に干渉しないように、上下の保持体４，４の間隔に応じて適宜設定すればよい。
【００１９】
図５は、本発明の一実施形態に係る植栽樹木の倒木防止方法を説明するための概略工程図である。防災林を植栽する場合のように広い植栽エリアに多数の樹木を植栽する場合、まず、図５（ａ）に示すように、植栽エリアの地面１０を掘削して大きな植栽穴１２を形成した後、植栽穴１２の底部に、縦材２が鉛直方向となるように倒木防止具１を複数近接させて配置する。各倒木防止具１の大きさは特に限定されないが、例えば、各辺が１ｍ程度の立方体状とすることができる。ついで、各倒木防止具１，１の互いに近接して平行に延びる縦材２，２に沿って、連結部材８を回転させながら矢示方向に進出させ、縦材２，２同士の周りに連結部材８を装着することにより、各倒木防止具１，１を連結する（連結ステップ）。
【００２０】
次に、図５（ｂ）に示すように、上記連結ステップで得られた倒木防止具１の連結構造体１００を地面に固定する（固定ステップ）。すなわち、上部にフック状の係止部２２を有する杭部材２０を、植栽穴１２の底部に矢示のように複数打ち込んで、それぞれの係止部２２を各倒木防止具１の保持体４に係止させることにより、倒木防止具１を植栽穴１２の底部の地面に固定する。杭部材２０は、例えば鉄筋等からなり、倒木防止具１を確実に固定できるように、植栽穴１２の底部から例えば０．５〜２．５ｍ程度の深さで土壌内に打ち込むことが好ましい。本実施形態においては、杭部材２０を連結部材８の外部に打ち込んでいるが、連結部材８の内部に螺旋軸に沿って杭部材２０を打ち込んでもよい。連結部材８の内部には後述するように土が入り込むため、連結部材８の内部に杭部材２０を配置することで、杭部材２０を周囲から保持することができ、連結構造体１００を確実に固定することができる。必ずしもフック状の係止部２２を備える必要はなく、例えば直筋等を使用することも可能であり、埋設土を介して倒木防止具１を固定することができる。
【００２１】
そして、図５（ｃ）に示すように、連結構造体１００を掘削土や改良土等の土２４で埋設した後、連結構造体１００の上方に樹木３０の苗木を複数植栽する（植栽ステップ）。植栽した樹木３０は、生長に伴い根３２が水分や養分を求めて土壌内に拡がるように伸びるため、図６に示すように、倒木防止具１の保持体４の内部や上下の保持体４，４の間に樹木３０の根３２を通過させて、保持体４に絡ませることができる。樹木３０の根は、直下に配置された倒木防止具１に係合するだけでなく、これと隣接する倒木防止具１や、螺旋状の連結部材８にも係合するため、これによって倒木防止効果がより高められる。樹木３０の植栽は、各倒木防止具１の直上であることが好ましいが、倒木防止具１の近傍であればよく、倒木防止具１の斜め上方や左右に樹木３０を植栽してもよい。
【００２２】
上記の倒木防止方法によれば、倒木防止具１の連結構造体１００を、苗木の根の生長に伴い係合するように土壌に埋設することにより、地盤を強化できると共に、樹木３０の根系の主として先端側を倒木防止具１に絡ませることができるので、生長あるいは分岐した多数の根（例えば、水平根や垂下根等）を、倒木防止具１により保持して樹木３０を強固に支持して、倒木を確実に防止することができる。また、土砂災害や河川の浸食等が生じた場合でも、倒木防止具１の内部に土壌が保持され易いために地盤強化の役割を果たすため、これによっても倒木の防止を図ることができる。
【００２３】
更に、倒木防止具１の連結構造体１００は、複数の倒木防止具１の連結が、螺旋状の連結部材８により行われるため、地震等により地盤変位が生じた場合でも、各倒木防止具１間の位置ずれを連結部材８によって吸収することができ、各倒木防止具１の損傷を防止しつつ良好な連結状態を維持することができる。この結果、多数の倒木防止具１を用いた広範囲の地盤強化および倒木予防を、容易且つ確実に行うことができる。
【００２４】
地面１０から倒木防止具１の上側の保持体４までの深さは、大きすぎると、地表に沿って伸びる水平根が保持体４に係合し難くなる一方、小さすぎると、土壌表面の浸食等により倒木防止具１が露出し易くなることから、例えば３０ｃｍ程度であることが好ましく、倒木防止具１の大部分が３０〜１３０ｃｍ程度の深さに配置されることが好ましい。植栽する樹木３０の種類は、特に限定されないが、根３２の強度および深さ方向への広がりが大きい樹木３０であることが好ましく、例えば、シラカシ、スダジイ、タブノキ、ヤブツバキ、マサキのような広葉樹等を挙げることができ、倒木防止具１を、防風林や防潮林等の防災林（防風林、防潮林、防砂林、防火林等）の倒木防止に好適に使用することができる。複数の樹木３０を植栽する場合、同種の樹木３０であってもよいが、根系の異なる複数種類の樹木３０であることが好ましい。樹木３０が単体であっても、倒木防止具１による良好な補強効果を得ることができるが、複数の樹木３０を連結して使用することで、防災林としての機能をより確実に発揮させることができる。植栽する樹木３０は、その土地本来に生息する在来種であることが好ましい。植栽する樹木３０の種類は、スギ・ヒノキ・カラマツのような針葉樹であってもよく、倒木防止具１を、例えば、同種の植栽が多い人工林に使用することもできる。
【００２５】
以上、本発明の一実施形態について詳述したが、本発明の具体的な態様は上記実施形態に限定されない。例えば、本実施形態の連結構造体１００は、隣接配置された倒木防止具１，１を、複数の連結部材８により連結しているが、単一の連結部材８により連結した構成であってもよい。また、３つ以上の倒木防止具１を単一の連結部材８により連結することも可能であり、例えば、倒木防止具１をマトリクス状に配置して、マトリクスの交点に対応する４つの縦材２の周りに連結部材８を装着することができる。
【００２６】
また、本実施形態の連結部材８は、複数の倒木防止具１，１における縦材２，２同士の周りに装着しているが、それぞれの保持体４，４の同方向に延びる部分の周りに装着してもよい。例えば、図７に側面図で示すように、複数の倒木防止具１，１を、保持体４，４の一辺が同じ直線に沿って延びるように配置し、螺旋軸がこの直線に沿うように連結部材８を保持体４，４の周りに装着することができる。あるいは、図８に平面図で示すように、複数の倒木防止具１，１を、保持体４，４の一辺が近接して互いに平行になるように配置し、この平行な部分の周りに連結部材８を装着することができる。
【００２７】
また、倒木防止具１についても、本実施形態の構成の他、種々の構成にすることができる。例えば、本実施形態においては、倒木防止具１を全体として立方体状に形成しているが、その形状は特に限定されるものではなく、樹木を列状に植栽する場合には、列方向に長い直方体状としてもよい。
【００２８】
また、本実施形態の倒木防止具１は、保持体４を支持する支持部を構成する縦材２の数をそれぞれ４つとしているが、環状の保持体４を支持できるように３つ以上であればよい。例えば、保持体４が三角形以上の多角形状である場合には、多角形状の各頂部にそれぞれ縦材２を配置することが好ましい。また、保持体４が円形状や楕円状の場合には、保持体４の周方向に沿って等間隔に適宜の数の縦材２を配置することが好ましい。
【００２９】
また、本実施形態においては、２つの保持体４を縦材２に沿って間隔をあけて配置することで、両者の間に樹木３０の根３２を通過させることができ、それぞれの保持体４が異なる深さ位置に延びる根と係合するため、樹木３０を確実に支持することができる。保持体４の数は３つ以上であってもよく、植栽する樹木３０の根３２の太さや、根３２が生長する深さ等を考慮して、保持体４の数や間隔を適宜設定することが好ましい。
【００３０】
また、倒木防止具１において保持体４を支持する支持部は、本実施形態のように直棒状の縦材２以外によって形成することも可能である。例えば、図９および図１０にそれぞれ側面図および平面図で示すように、Ｕ字状の湾曲部材４０の両側で互いに平行に延びる両側部をそれぞれ支持部４２，４２として、倒木防止具１を構成することもできる。図９および図１０に示す倒木防止具１は、４つの湾曲部材４０を互いに平行に等間隔で配置すると共に、これらと直交するように他の４つの湾曲部材４０を互いに平行に等間隔で配置することにより、８つの湾曲部材４０から１６個の支持部４２が構成されている。このように、支持部４２を、複数のＵ字状湾曲部材４０の両側部により構成することで、倒木防止具１の強度を確保して、樹木をより確実に支持することができる。湾曲部材４０は、枠状に形成された部材の一部であってもよい。
【００３１】
各支持部４２には、平面視正方形状の環状体からなる保持体４が３つ支持されている。各保持体４の上部には、それぞれ補助体５０が支持されている。補助体５０は、平面視長方形状の環状体からなり、保持体４の内側に配置されるように（すなわち、平面視において保持体４の外方にはみ出さないように）、補助体５０の環状内部の開口面積が、保持体４の環状内部の開口面積よりも小さく形成されている。補助体５０は、図１等に示す構成と同様に結束具（図９および図１０においては図示せず）を用いて、支持部４２および保持体４の双方に固定されている。
【００３２】
図９および図１０に示す倒木防止具１によれば、保持体４の他に補助体５０を備えることによって、生長した樹木の根が倒木防止具１に絡み易くなるため、樹木をより確実に支持することができる。各補助体５０は、上下に隣接するもの同士で平面視における長方形の向きが互いに相違しており、これによって、樹木の根を上下の補助体５０で支持し易くすることができる。倒木防止具１が大型化するにつれて、保持体４の上下に配置する補助体５０の数を更に増やしてもよく、倒木防止具１の高密度化を図ると共に土壌との接触面積を増加させて、地盤強化および倒木防止の効果を高めることができる。補助体は、環状のもの以外にスパイラル状のものであってもよく、図１１に示すように、環状の補助体５０およびスパイラル状の補助体５２を、保持体４の内側に（すなわち、平面視において全体またはその主要部が保持体４の外方にはみ出さないように）配置して、倒木防止具１を構成することもできる。
【００３３】
倒木防止具１の連結構造体１００の設置個所は、図５に示すような植栽穴１２の底部の地面に限定されるものではなく、地盤面（ＧＬライン）等であってもよく、例えば、地盤の嵩上工事、河川の護岸工事、生育地盤造成工事等を行う際に、連結構造体１００を使用することができる。
【００３４】
本発明の倒木防止具の連結構造体を、盛土の法面に埋設する場合、図１２に示す構成の倒木防止具１’を好適に使用することができる。この倒木防止具１’は、互いに大きさが相違する矩形枠状の２つの保持体４ａ，４ｂが、上下に間隔をあけて平行に配置されており、２つの保持体４ａ，４ｂは、これと直交する３つの枠状部材４０ａ，４０ｂ，４０ｃの支持部４２ａ，４２ｂ，４２ｃによって支持されている。更に、２つの保持体４ａ，４ｂには、内側から支持するように三角環状の補助体４４および矩形環状の補助体４６が挿通されている。三角環状の補助体４４は、直角三角形状に形成されて、保持体４ａ，４ｂおよび枠状部材４０ａ，４０ｂ，４０ｃの双方と直交するように配置されている。また、矩形環状の補助体４６は、保持体４ａ，４ｂに対して傾斜するように配置されている。三角環状の補助体４４は、下方に突出する挿入部４４ａを備えており、倒木防止具１’を地面に固定する際に、挿入部４４ａを地面に挿入して倒木防止具１’の姿勢を安定させることにより、その後の杭部材２０の打ち付けによる固定を容易に行うことができる。
【００３５】
図１２に示す倒木防止具１’は、図１３に示すように、小さい方の保持体４ａが上方となる姿勢で、螺旋状の連結部材８により複数を連結して連結構造体１００’を構成した後、杭部材２０により地表面（地面）１０に固定することができる。倒木防止具１’は、盛土２６で埋設する際に、大きさが互いに相違する各保持体４ａ，４ｂを、盛土２６の法面２６ａ，２６ｂの傾斜に沿うようにそれぞれ配置することができるので、盛土２６の地盤強化を図ると共に、法面２６ａ，２６ｂに植栽した樹木３０の倒木を確実に防止することができる。倒木防止具１’が備える保持体４ａ，４ｂは、本実施形態では２つとしているが、３つ以上の保持体を大きさが段階的に変化するように配置してもよい。傾斜する法面２６ａ，２６ｂに針葉樹を植栽する場合、法面２６ａ，２６ｂの下方に常緑広葉樹を植栽することが好ましい。図１２に示す倒木防止具１’は、図１等に示す倒木防止具１と組み合わせて螺旋状の連結部材８で連結することにより、例えば、図１４に示す連結構造体１００’にすることもできる。
【００３６】
また、図１５に示すように、倒木防止具１，１’を複数積み上げて、それぞれを連結部材８で連結することにより、連結構造体１００’を構成することも可能である。図１５に示す連結部材８は、互いに近接して上下に延びるように平行に配置された縦材（支持部）の周りに装着されているが、図７や図８に示すように、連結部材８を保持体４の同方向に延びる部分の周りに装着してもよく、あるいは、これらを併用してもよい。
【００３７】
図１５に示す連結構造体１００’は、最下段の１段目の倒木防止具１，１’が、杭部材２０により地面１０に固定される。杭部材２０の上端部は、２段目の倒木防止具１，１’の内部に入り込むように構成されている。２段目の倒木防止具１，１’については、係合される杭部材２０’の下端部が、１段目の倒木防止具１，１’の内部に入り込むように構成されている。杭部材２０，２０’の上端部または下端部が倒木防止具１，１’の内部に入り込む長さは、倒木防止具１，１’の高さの２／３以上であることが好ましい。杭部材２０，２０’は、直筋状のものを使用することができるが、上端部が外部に露出するおそれがある杭部材２０，２０’については、上端部を湾曲させることが好ましい。
【符号の説明】
【００３８】
１  倒木防止具
２  縦材（支持部）
４  保持体
８  連結部材
２０  杭部材
３０  樹木
３２  根
４０  湾曲部材
４２  支持部
４４，４６  補助体
５０，５２  補助体
１００  倒木防止具の連結構造体
【図１】
2020080688.tif 000003
【図２】
2020080688.tif 000004
【図３】
2020080688.tif 000005
【図４】
2020080688.tif 000006
【図５】
2020080688.tif 000007
【図６】
2020080688.tif 000008
【図７】
2020080688.tif 000009
【図８】
2020080688.tif 000010
【図９】
2020080688.tif 000011
【図１０】
2020080688.tif 000012
【図１１】
2020080688.tif 000013
【図１２】
2020080688.tif 000014
【図１３】
2020080688.tif 000015
【図１４】
2020080688.tif 000016
【図１５】
2020080688.tif 000017